(57)【要約】【課題】新しいタイプの靴と着脱可能なセンサ構造体用ケース構造体を提供すること【解決手段】本発明は、靴と着脱可能なセンサ構造体のためのケース構造体に関する。このケース構造体は、ケース（２１および２２）およびケースを靴に装着する装着部を備える。装着部は、ケース（２１および２２）を靴へ装着する装着突起体（２３ａ、２３ｂ）を備え、靴紐がケースに備えられる底面（２００）と底面の下方の装着突起体（２３、２３ａ、２３ｂ）との間に留まるように構成される。本発明の基本的特長は、装着突起体が枝分かれした突起構造体であり、第１の突起枝（２３ａ）および第２の突起枝（２３ｂ）を有すると共に、突起枝の間に、靴紐が靴のべろを支持するように構成される場合であってもケース構造体の所定位置の配置を可能にする中間領域（２３ｃ）を備える点にある。【選択図】図５
2005211666.tif 000002
【特許請求の範囲】
【請求項１】
靴と着脱可能なセンサ構造体のためのケース構造体において、
前記ケース構造体は、ケース（２１および２２）と、前記靴に前記ケースを装着する装着部とを備え、
前記装着部は、靴紐が前記ケースに備えられる底部（２００）および前記底部下方の前記装着突起体（２３、２３a、２３ｂ）の間に留まるように、前記ケース（２１および２２）を前記靴に装着する装着突起体（２３ａおよび２３ｂ）を備え、
前記装着突起体は、第１の突起枝（２３ａ）および第２の突起枝（２３ｂ）、および、前記靴紐が前記靴のべろ（３）を支持するように構成された場合でも、前記ケース構造体の所定位置の配置を可能にする前記突起枝の間の中間領域（２３ｃ）を備える枝分かれした突起体であること
を特徴とするケース構造体。
【請求項２】
前記ケースは、前端（Ｆ）および後端（Ｂ）を備え、
前記装着突起体（２３）の前記突起枝間（２３ａ、２３ｂ）の前記中間領域（２３ｃ）の幅は、前記ケースの前記後端（Ｂ）から前記ケースの前記前端（Ｆ）に向けて収束したものであること
を特徴とする請求項１記載のケース構造体。
【請求項３】
装着突起体の前記突起枝間（２３ａ、２３ｂ）の前記中間領域の収束を実行するため、前記突起枝間の距離は、前記ケースの後端よりも前記ケースの前記前端の方が短いこと
を特徴とする請求項２記載のケース構造体。
【請求項４】
前記ケースは、前記ケースの開閉を可能とする第１のケース部（２１）および第２のケース部（２２）を備え、
前記ケースを前記靴に装着する前記装着部は、前記突起構造体だけでなく、前記ケース部（２１、２２）を連結するロッキング手段（２３１ないし２３４、２３）を備えること
を特徴とする請求項１記載のケース構造体。
【請求項５】
前記第１のケース部（２１）および前記第２のケース部（２２）の間の境界（１５０）は、前記ケース構造体を側方からみたときに、前記ケースの上面（３００）および前記ケースの底面（２００）の間の方向の境界（１５０）であること
を特徴とする請求項４記載のケース構造体。
【請求項６】
前記装着部に備えられる前記装着突起体（２３、２３ａ、２３ｂ）は、少なくとも前記装着部に備えられる前記ロッキング手段（２３１ないし２３４）のいくつかと同一のピース（２３）であること
を特徴とする請求項４記載のケース構造体。
【請求項７】
前記ケース部を連結する前記ロッキング手段は、第１のロッキング構造体（２３、２３１ないし２３４）および第２のロッキング構造体（２４、２４１ないし２４４）を備え、
前記第１のロッキング構造体（２３、２３１ないし２３４）は、特に前記ケースの前記底面の側のためのものであり、前記第２のロッキング構造体（２４、２４１ないし２４４）は、特に前記ケースの上面の側のためのものであり、
前記ケースの前記前端および前記後端の両方における前記ロッキング構造体（２３、２４）は、相互に伸び、前記ロッキング構造体および前記ケース間の位置合わせ支持体（２３１ないし２３４、２３１ａないし２３４ａ、２４１ないし２４４、２４１ａないし２４４ａ）により、前記ケースのそばで前記ケースの前記ケース部（２１、２２）の結合をなすこと
を特徴とする請求項４または６に記載のケース構造体。
【請求項８】
前記ロッキング突起体（２３、２３ａ、２３ｂ）は、前記ケースの前記底面の側の前記第１のロッキング構造体（２３、２３１ないし２３４）と同一のピース（２３）であること
を特徴とする請求項６または７記載のケース構造体。
【請求項９】
前記第１のロッキング構造体（２３、２３１ないし２３４）は、前記ケースの前記前端（Ｆ）において、前記第１のケース部に備えられる位置合わせカウンターパート構造体（２３１ａ、２３２ａ）のための位置合わせ構造体（２３１、２３２）を備え、
前記ケース部の間の前記境界線（１５０）の異なる側においては、前記第１のロッキング構造体（２３、２３１ないし２３４）は、前記ケースの後端（Ｂ）において、前記第２のケース部（２２）に備えられる位置合わせカウンターパート構造体（２３３ａ、２３４ａ）のための位置合わせ構造体（２３３ないし２３４）を備えること
を特徴とする請求項７記載のケース構造体。
【請求項１０】
前記第２のロッキング構造体（２４、２４１ないし２４４）は、前記ケースの前記前端（Ｆ）において、前記第１のケース部に備えられる前記位置合わせカウンターパート構造体（２４１ａ、２４２ａ）のための位置合わせ構造体（２４１、２４２）を備え、
前記ケース部間の境界線（１５０）の反対側においては、前記第２のロッキング構造体（２４、２４１ないし２４４）は、前記ケースの後端（Ｂ）において、前記第２のケース部（２２）に備えられる前記位置合わせカウンターパート構造体（２４３ａ、２４４ａ）のための位置合わせ構造体（２４３ないし２４４）を備えること
を特徴とする請求項７または９に記載のケース構造体。
【発明の詳細な説明】
【技術分野】
【０００１】
本発明は、靴と着脱可能なセンサ構造体用ケース構造体に関する。
【背景技術】
【０００２】
運動する人については、いくつかの要素が測定され得る。ある測定方法においては、容器に収容されたセンサは、人の靴の頂部に設置され、そのセンサは、例えば足の加速度や歩数などを測定する。容器に収容されたセンサは、靴紐の頂部に位置しており、ケースの底部の下方の装着突起（attachment projection）は、紐の下方であって紐の頂部にあるケースの底部に安定している。既知の加速度センサのケース構造体は、ケース下方の装着突起体が、固形で一体成形の突起であり、もし靴紐が靴のべろ部の頂部にある支持ループを通して渡されていると、紐とべろ部の結合部が紐下方の装着突起体の伝播（propagation）を妨げるので、靴の頂部にあるケース構造体にセンサを装着することができなくなってしまう。すなわち、編み上げのスポーツ靴を利用する人は、紐の下方に紐により直接に支持された靴のべろが既に上部位置にあるので、しばしば靴のべろの支持ループに紐を通す経路で紐を渡し、靴を履くのを容易にしようと考えている。既知のソリューションによる一体成形の装着突起体では、一体成形の構造体は、弓形の足首領域の頂部にある靴の弓形のべろの頂部において適切にフィットせず、または安定しない点に問題がある。
【発明の開示】
【発明が解決しようとする課題】
【０００３】
本発明の目的は、これまでのソリューションよりもユーザのニーズにより適応する、新しいタイプの靴と着脱可能なセンサ構造体用ケース構造体を提供することにある。
【０００４】
この目的は、本発明に係るケース構造体、すなわち、装着突起体が、第１の突起枝および第２の突起枝、並びに突起枝間において、靴紐が靴のべろを支持するように配置された場合でもケース構造体の配置が可能となるような中間領域を備える枝分かれした突起体であることを特徴とすることにより達成される。
【課題を解決するための手段】
【０００５】
本発明のケース構造体は、ケースと当該ケースを靴に装着する装着部とを備えている。この装着部は、ケースを靴に装着する装着突起体を備えて、靴紐がケースの底部と当該底部の下方の装着突起体との間に留まるように構成される。
【０００６】
上記した目的を達成するために、本発明の一側面に係るケース構造体は、靴と着脱可能なセンサ構造体のためのケース構造体において、ケース構造体は、ケース（２１および２２）と、靴にケースを装着する装着部とを備え、装着部は、靴紐がケースに備えられる底部（２００）および底部下方の装着突起体（２３、２３ａ、２３ｂ）の間に留まるように、ケース（２１および２２）を靴に装着する装着突起体（２３ａおよび２３ｂ）を備え、装着突起体は、第１の突起枝（２３ａ）および第２の突起枝（２３ｂ）、および、靴紐が靴のべろ（３）を支持するように構成された場合でも、ケース構造体の所定位置の配置を可能にする突起枝の間の中間領域（２３ｃ）を備える枝分かれした突起体であることを特徴とする。
【０００７】
本発明の好ましい実施形態は、特許請求の範囲の独立項において記述される。
【０００８】
本発明は、靴のべろが紐により支持されるか否かにかかわりなく、靴への装着を容易にする構成された、靴にケース構造体のケースを装着する突起体を基礎としている。靴は、伝統的な編み上げ靴に属するが、同様にスケート靴、スキーブーツや他の編み上げの履物、あるいは靴のような構造を有する編み上げのスポーツウェアなどにも適用できる。例えば、スケート靴、ローラースケートおよびスキーブーツは、見方によれば、ブレード、ホイールやバインディング手段（ビンディング）が備えられた靴である。
【発明の効果】
【０００９】
本発明に係るケース構造体は、複数の利点を提供する。本発明によれば、紐の頂部において容器に収容されたセンサの靴への装着を容易にすることができ、装着突起体は、靴のべろを紐が支持する場合であっても、所定位置に配置された紐の下方に伝播することができる。よりよい装着突起体により、本発明に係るケース構造体は、弓形の足首領域の頂部にある弓形の靴のべろの頂部の所定位置に、よりしっかりと安定する。
【発明を実施するための最良の形態】
【００１０】
以下、本発明の好ましい実施形態について添付図面を参照して詳細に説明する。
【００１１】
本図に示すように、本発明は、靴１と着脱可能なセンサ構造体１０のケース構造体２０、２１ないし２４に関する。靴１は、スポーツ靴または靴紐２が備えられた別の靴である。靴は、伝統的な編上げ靴に属するものであるが、スケート靴、ローラースケート靴やスキーブーツ、あるいは他の編上げの履物、編上げ靴のような構造が備えられたスポーツウェアなども属する。例えば、スケート靴やローラースケート靴、スキーブーツなどは、見方によれば、ブレードやホイール、バインディング手段（ビンディング）が備えられた靴といえる。
【００１２】
ケース構造体２１ないし２４は、ケース２１および２２、すなわち、本ケースの第１のケース部２１および本ケースの第２のケース部２２を備えており、これらケース部は、相互に連結されてケースとなる。加えて、ケース構造体２０は、本ケース２１および２２を靴１に装着する装着部（attachment arrangement）２３および２４を備えている。装着部２３および２４は、また、ケース部２１および２２を連結する。ケース構造体の材質は、例えばポリアミドである。
【００１３】
特に図２に示すように、これに関しては、期間センサ（term sensor）１０ａは、本ケース構造体における構造部品であり、実際は、本ケース構造体のケース２１および２２に収容されている。センサ構造体は、ケース構造体およびセンサなど中に収容される部品により構成されたものである。
【００１４】
図２に示すとおり、センサ１０ａは、電源１１、スイッチ１２、電子ユニット１３およびセンサ素子１４を備えている。スイッチ１２は、図９および図１１においても見ることが可能である。図３、図５、図７および図８では、第２のロッキング手段の薄壁１２ａ、すなわち、上部ロッキング手段２４、または、本ケースに備えられたスイッチ１２がそれを通して開放される別の構造体が示されている。図２では、電子ユニット１３は、その動作を制御し、センサ素子１４の測定結果の修正および解釈を制御する。スイッチ１２は、電子ユニットが利用する電源をオンオフするために用いられる。センサ素子１４は、例えば、半導体加速度センサ、ピエゾやマイクロ電気機械システム（MEMS：Micro-Electro-Mechanical System：マイクロマシン）などを用いることができる。センサ構造体の測定データは、例えば無線接続や磁気テレメトリなどの手段により、例えば心拍モニタリストバンドなどの手首の受信機へ伝送することができる。センサは、また、表示部を備えてもよい。加速度の測定は、例えば、速度、距離、歩数、歩行の長さおよび歩行経路を調べる方法などを用いることができる。
【００１５】
全ての構造部品１１ないし１５は、ケース２１および２２から移動されてもよいし、全体としてケース２１および２２に収納されてもよいので、図２に示すように、ケース構造体に収容された部品が共通支持エレメント１５によって支持されてセンサに備えられ、構造部品１１ないし１５が、プラグインタイプの一体化された構成を成しており、これはセンサ構造体のサービス手段を明確にしている。ケース構造体の部品のうち、図２は、ケースのみ、すなわち結合されたケース部２１および２２のみを示している。ケース構造体の他の２つの部品、すなわち、図１３および図１５に示される部品２３および２４は、図２には示されていない。
【００１６】
第１のケース部２１および第２のケース部２２の間の境界１５０は、ケース構造体を側方からみたとき、本ケースの上面３００および本ケースの底面２００の間の方向での境界である。このことは、サービス手段の点では、操作のための安易な手段、すなわち端部を開口し得るという手段を提供する。すなわち、本ケース構造体は、図の例ではケースの後端Ｂの側から開放することができる。加えて、短い方向、すなわち横方向に密閉された境界１５０の領域が、ケース構造体の長手方向と比較して短いので、より良い水密性が達成される。横断する境界１５０はまた、ケース部２１および２２相互に対して押すための、すなわち互いにロッキングするための補助部２３１ないし２３４により、突起構造体片２３の使用を可能にする。
【００１７】
図１、図３ないし図８、および図１４ないし図１５に詳細に示すように、装着部は、装着突起体２３、２３ａ、２３ｂを備えている。装着突起体は、靴紐２がケース２１および２２に備えられる底面２００と底面の下方の装着突起体２３、２３ａ、２３ｂとの間で留まるようにして本ケースを靴へ装着する。
【００１８】
装着突起体２３は、枝分かれした突起体２３であり、第１の突起枝２３ａと、第２の突起枝２３ｂと、突起枝間に存在し、たとえ靴紐２がべろ吊り部材３A、すなわち例えば支持ループ３Aにより靴のべろ３を支持するように構成されていたとしても、本ケース構造体を靴に配置可能とする中間領域２３ｃとを備えている。これは、図１７においてみることができる。ケース構造体は、図１３および図１４に示す突起体２３、２３ａ、２３ｂの突起体を靴紐２の下方で靴のべろ３の上に配置し、その後、本ケース構造体の他の部品２１、２２、２４が図８に示すように突起体片２３に押し付けられて、靴に配置される。
【００１９】
ケース２１および２２、すなわちケース構造体は、前端Ｆおよび後端Ｂを有している。靴の頂部の所定位置に配置されたセンサ構造体、すなわち、センサを含むケース構造体について所定位置の状態を維持するため、好ましい実施形態においては、ケース構造体は、装着突起体２３の突起枝２３ａおよび２３ｂの間の中間領域２３ｃの幅が、ケースの後端からケースの前端に向かって収束するように形成されている。これは、図１４および図４に詳しく示されている。装着突起体の突起枝の間の中間領域の収束を実行するため、好ましい実施形態においては、ケースの後端よりもケースの前端の方が距離が短くなるようにして実現されている。この収束により、突起枝２３ａおよび２３ｂの内側のエッジは、べろおよび靴紐の支持ループの結合部に当っており、このようにして分離するような動きが起こらないようにしている。
【００２０】
ケース構造体のケース２１および２２の部品、すなわち、第１のケース部２１および第２のケース部２２は、本ケースの開閉が可能とするために備えられている。二つの相互に連結した部品２１および２２のため、靴１に本ケースを固定する装着部は、突起体だけでなく、ケース部を連結するロッキング手段をも備えている。
【００２１】
好ましい実施形態において、ケース構造体は、装着部に備えられる装着突起体２３、２３ａ、２３ｂが、装着部に備えられる一つ以上のロッキング手段２３１ないし２３４と同じ部品（ピース：piece）となるように構成されている。ロッキング手段２３１および２３２は、装着突起体２３の突起枝２３ａおよび２３ｂの端部における、位置合わせペグのような位置合わせ部材であり、本ケースのケース部２１のネスト（nests）２３１ａおよび２３２ａ、または他の位置合わせのカウンターパート２３１ａおよび２３２ａに配置されている。それゆえ、位置合わせ部材２３１および２３２は、本ケースの前端Ｆに位置している。ロッキング手段２３３および２３４は、本ケースの後端Ｂの側の装着突起体２３における、位置合わせペグ２３３および２３４のような位置合わせ部材であり、これらは、本ケースの第２のケース部２２のネスト２３３ａおよび２３４ａまたは他の位置合わせのカウンターパート２３３ａおよび２３４ａに安定する。その結果、ロッキング手段２３１ないし２３４、すなわち、例えば位置合わせペグ２３１ないし２３４は、装着突起体２３、２３ａ、２３ｂと同じ合成した部品（integrated piece）であり、このことは部品の個数を削減するとともに、一つの構造で二つのタスクを実行することを可能にする。
【００２２】
対応するロッキング位置合わせ手段は、第２のロッキング構造体２４と本ケースのケース部との間で、ロッキング構造体２４のペグ２４１ないし２４４と本ケースのネスト２４１ａないし２４４ａとの間に備えられる。この場合、第２のロッキング構造体２４、２４１ないし２４４は、本ケースの前端Ｆにおいて、第１のケース部に備えられる位置合わせのカウンターパート構造体２４１ａおよび２４２ａのための位置合わせ構造体２４１および２４２を備えている。ケース部の間の境界線１５０の異なる側では、第２のロッキング構造体２４、２４１ないし２４４は、本ケースの後端Ｂにおいて、第２のケース部２２に備えられる位置合わせカウンターパート構造体２４３ａおよび２４４ａのための位置合わせ構造体２４３および２４４を備えている。
【００２３】
弓形の部品２３および２４は、弾力性があり、本ケース２１および２２そばの所定の位置に配置されるように形成される。本ケースの構造部品２３、２３１ないし２３４、構造部品２４、２４１ないし２４４、およびネスト２３１ａないし２３４ａ、２４１ａないし２４４ａは、本ケースの本ケース部２１および２２の間に信頼性のあるロッキングを提供する。
【００２４】
本発明は、添付図面に従う例により上記のとおり説明されるが、本発明がこれに限定されるものではなく、添付する特許請求の範囲の範囲の複数の手法により修正され得ることは明らかである。
【図面の簡単な説明】
【００２５】
【図１】図１は、靴の頂部に配置されたセンサ構造体を示す図である。
【図２】図２は、本ケース内側のセンサ部とともに、ケースのケース部を概略的に示す図である。
【図３】図３は、頂部で前部の方向から斜めにみたケース構造体を示す図である。
【図４】図４は、ケース構造体の底部側から垂直にみたケース構造体を示す図である。
【図５】図５は、前部に向かって垂直にみたケース構造体を示す図である。
【図６】図６は、後部に向かって垂直にみたケース構造体を示す図である。
【図７】図７は、側方から垂直にみたケース構造体を示す図である。
【図８】図８は、部分的に分離した図７の構造を示す図である。
【図９】図９は、頂部の前部の方向から斜めにみた、２つのケース部から構成されるケースを示す図である。
【図１０】図１０は、下方の底部側から斜めにみた２つのケース部から構成されるケースを示す図である。
【図１１】図１１は、前部の方向から垂直にみた本ケースを示す図である。
【図１２】図１２は、後部の方向から垂直にみた本ケースを示す図である。
【図１３】図１３は、第１のロッキング構造体の構造部品をも含むロッキング突起構造体を示す図である。
【図１４】図１４は、ケースの方向からみた図１３の構造を示す図である。
【図１５】図１５は、上部ロッキング構造体、すなわち、下方から斜めにみた第２のロッキング構造体を示す図である。
【図１６】図１６は、本ケースの上面の方向から第２のロッキング構造体の底部に向かってみた図１５の第２のロッキング構造体を示す図である。
【図１７】図１７は、靴のべろを支持する靴紐の経路を示す図である。
【符号の説明】
【００２６】
１…靴、２…靴紐、３…べろ、１０…センサ構造体、１１…電源、１２…スイッチ、１３…電子ユニット、１４…センサ素子、２１・２２…ケース、２３・２４…装着突起体。
【図１】
2005211666.tif 000003
【図２】
2005211666.tif 000004
【図３】
2005211666.tif 000005
【図４】
2005211666.tif 000006
【図５】
2005211666.tif 000007
【図６】
2005211666.tif 000008
【図７】
2005211666.tif 000009
【図８】
2005211666.tif 000010
【図９】
2005211666.tif 000011
【図１０】
2005211666.tif 000012
【図１１】
2005211666.tif 000013
【図１２】
2005211666.tif 000014
【図１３】
2005211666.tif 000015
【図１４】
2005211666.tif 000016
【図１５】
2005211666.tif 000017
【図１６】
2005211666.tif 000018
【図１７】
2005211666.tif 000019